(57)【要約】      （修正有）【課題】伝熱管のＵ字管部に結露が生じないようにした熱交換器をもった調湿装置を提供する。【解決手段】直管部、Ｕ字管部を持つフィン群を持つ伝熱管において、多数枚のフィン57表面に吸着剤が担持された熱交換器47,49をケーシング内に配置する。伝熱管を流れる冷媒によって吸着剤を加熱、または冷却することで、フィンを通過する空気の水分を吸着、または脱着して湿度調節する調湿機で、フィン群59から突出する伝熱管63のＵ字管部63bを断熱材67で覆う。【選択図】図３
2005291596.tif 000002
【特許請求の範囲】
【請求項１】
多数枚のフィン（57）が間隔をあけて並列配置されたフィン群（59）と、直管部（63a）とＵ字管部（63b）とで蛇行状に形成され、上記直管部（63a）が上記フィン群（59）をフィン配列方向に貫挿するとともに、上記Ｕ字管部（63b）が上記枠板（61）から突出するように配置された伝熱管（63）とを有し、上記フィン（57）表面に吸着剤が担持された熱交換器（47,49）がケーシング（1）内に配置され、上記伝熱管（63）を流れる冷媒によって吸着剤を加熱又は冷却することで上記熱交換器（47,49）のフィン群（59）を通過する空気中の水分を吸着剤で吸着又は脱着して空気の湿度を調整する調湿装置であって、
上記伝熱管（63）のＵ字管部（63b）は、遮蔽手段（67,69）で覆われていることを特徴とする調湿装置。
【請求項２】
請求項１に記載の調湿装置において、
遮蔽手段は遮蔽板（69）であることを特徴とする調湿装置。
【請求項３】
請求項１に記載の調湿装置において、
遮蔽手段は断熱材（67）であることを特徴とする調湿装置。
【請求項４】
多数枚のフィン（57）が間隔をあけて並列配置されたフィン群（59）と、直管部（63a）とＵ字管部（63b）とで蛇行状に形成され、上記直管部（63a）が上記フィン群（59）をフィン配列方向に貫挿するとともに、上記Ｕ字管部（63b）が上記枠板（61）から突出するように配置された伝熱管（63）とを有し、上記フィン（57）表面に吸着剤が担持された熱交換器（47,49）がケーシング（1）内に配置され、上記伝熱管（63）を流れる冷媒によって吸着剤を加熱又は冷却することで上記熱交換器（47,49）のフィン群（59）を通過する空気中の水分を吸着剤で吸着又は脱着して空気の湿度を調整する調湿装置であって、
上記熱交換器（47,49）は、伝熱管（63）のＵ字管部（63b）が空気流入側から外れた位置になるようにケーシング（1）内に配置されていることを特徴とする調湿装置。
【請求項５】
請求項４に記載の調湿装置において、
空気流入側から流入する空気は室外空気（OA）であることを特徴とする調湿装置。
【請求項６】
多数枚のフィン（57）が間隔をあけて並列配置されたフィン群（59）と、直管部（63a）とＵ字管部（63b）とで蛇行状に形成され、上記直管部（63a）が上記フィン群（59）をフィン配列方向に貫挿するとともに、上記Ｕ字管部（63b）が上記枠板（61）から突出するように配置された伝熱管（63）とを有し、上記フィン（57）表面に吸着剤が担持された熱交換器（47,49）がケーシング（1）内に配置され、上記伝熱管（63）を流れる冷媒によって吸着剤を加熱又は冷却することで上記熱交換器（47,49）のフィン群（59）を通過する空気中の水分を吸着剤で吸着又は脱着して空気の湿度を調整する調湿装置であって、
上記熱交換器（47,49）は、伝熱管（63）のＵ字管部（63b）が空気流出側から外れた位置になるようにケーシング（1）内に配置されていることを特徴とする調湿装置。
【請求項７】
請求項１〜６のいずれか１項に記載の調湿装置において、
熱交換器（47,49）は、フィン群（59）のフィン配列方向両端面とフィン長手方向両端側の端面とを取り囲む枠板（61）を備え、
上記フィン群（59）と枠板（61）との間には、断熱材（67）が介装されていることを特徴とする調湿装置。
【発明の詳細な説明】
【技術分野】
【０００１】
この発明は、吸着剤と冷凍サイクルとを利用して空気の湿度調節を行う調湿装置に関するものである。
【背景技術】
【０００２】
特許文献１には、乾式除湿装置の熱交換部材として、銅管の周囲に板状のフィンを一体に外嵌合し、これら銅管及びフィンの表面に空気中の水分の吸着と空気中への水分の脱離とを行う吸着剤を担持させ、銅管内を流れる冷媒によって上記吸着剤の加熱や冷却を行うようにしたものが開示されている。
【特許文献１】特開平７−２６５６４９号公報（第２頁、図１）
【発明の開示】
【発明が解決しようとする課題】
【０００３】
ところで、熱交換器が、多数枚のフィンを並列配置したフィン群を備え、直管部とＵ字管部とで蛇行状に形成された伝熱管が上記フィン群に配置されたクロスフィン型のフィン・アンド・チューブ熱交換器である場合、一般に、上記フィン群は枠板で取り囲まれていて、この枠板をケーシングに取り付けることにより熱交換器がケーシングに収容配置されるようになっている。また、上記枠板には、伝熱管のＵ字管部や、伝熱管を冷媒配管に接続する接続管が突設されている。
【０００４】
このような熱交換器において、潜熱処理能力を高めるために吸着剤がフィン群には担持されているが、枠板から突出する伝熱管のＵ字管部には担持されていない場合、レイアウト上、熱交換器をケーシング内に配置した状態で、上記Ｕ字管部が空気流入側に位置していると、高湿度の流入空気がＵ字管部に直接に吹き付けられてＵ字管部に結露が生ずるおそれがある。
【０００５】
この発明はかかる点に鑑みてなされたものであり、その目的とするところは、伝熱管のＵ字管部に結露が生じないようにすることである。
【課題を解決するための手段】
【０００６】
上記の目的を達成するため、この発明は、伝熱管のＵ字管部に空気が直接に吹き付けられないようにしたことを特徴とする。
【０００７】
具体的には、この発明は、多数枚のフィン（57）が間隔をあけて並列配置されたフィン群（59）と、直管部（63a）とＵ字管部（63b）とで蛇行状に形成され、上記直管部（63a）が上記フィン群（59）をフィン配列方向に貫挿するとともに、上記Ｕ字管部（63b）が上記枠板（61）から突出するように配置された伝熱管（63）とを有し、上記フィン（57）表面に吸着剤が担持された熱交換器（47,49）がケーシング（1）内に配置され、上記伝熱管（63）を流れる冷媒によって吸着剤を加熱又は冷却することで上記熱交換器（47,49）のフィン群（59）を通過する空気中の水分を吸着剤で吸着又は脱着して空気の湿度を調整する調湿装置を前提とし、次のような解決手段を講じた。
【０００８】
すなわち、請求項１に記載の発明は、上記伝熱管（63）のＵ字管部（63b）は、遮蔽手段（67,69）で覆われていることを特徴とする。
【０００９】
請求項２に記載の発明は、請求項１に記載の発明において、遮蔽手段は遮蔽板（69）であることを特徴とする。
【００１０】
請求項３に記載の発明は、請求項１に記載の発明において、遮蔽手段は断熱材（67）であることを特徴とする。
【００１１】
請求項４に記載の発明は、上記前提において、上記熱交換器（47,49）は、伝熱管（63）のＵ字管部（63b）が空気流入側から外れた位置になるようにケーシング（1）内に配置されていることを特徴とする。
【００１２】
請求項５に記載の発明は、請求項４に記載の発明において、空気流入側から流入する空気は室外空気（OA）であることを特徴とする。
【００１３】
請求項６に記載の発明は、上記前提において、上記熱交換器（47,49）は、伝熱管（63）のＵ字管部（63b）が空気流出側から外れた位置になるようにケーシング（1）内に配置されていることを特徴とする。
【００１４】
請求項７に記載の発明は、請求項１〜６のいずれか１項に記載の発明において、熱交換器（47,49）は、フィン群（59）のフィン配列方向両端面とフィン長手方向両端側の端面とを取り囲む枠板（61）を備え、上記フィン群（59）と枠板（61）との間には、断熱材（67）が介装されていることを特徴とする。
【発明の効果】
【００１５】
請求項１〜３に係る発明によれば、伝熱管（63）のＵ字管部（63b）を遮蔽部材（67,69）で覆っているので、高湿度の流入空気がＵ字管部（63b）に当たらず、しかも、遮蔽部材（67,69）が断熱材（67）である場合には、熱影響を受けず、Ｕ字管部（63b）への結露を防止することができる。
【００１６】
請求項４〜６に係る発明によれば、熱交換器（47,49）を伝熱管（63）のＵ字管部（63b）が空気流入側又は空気流出側から外れた位置になるようにケーシング（1）内に配置しているので、高湿度の流入空気がＵ字管部（63b）に直接に吹き付けられず、Ｕ字管部（63b）への結露を防止することができる。特に、夏場の高湿条件下において、空気流入側から流入する空気が室外空気（OA）である場合には効果的である。
【００１７】
請求項７に係る発明によれば、フィン群（59）と枠板（61）との間に断熱材（67）を介装しているので、高湿度の流入空気の熱影響がフィン群（59）側面に及ばず、フィン群（59）側面への結露を防止することができる。
【発明を実施するための最良の形態】
【００１８】
以下、この発明の実施の形態について図面に基づいて説明する。
【００１９】
図１はこの発明の実施形態に係る調湿装置の構成を概略的に示し、図１（ａ）は図１（ｂ）のＸ−Ｘ線における断面図、図１（ｂ）は内部を見せた状態の平面図であって図で下側が正面側である。図１（ｃ）は図１（ｂ）のＹ−Ｙ線における断面図である。この調湿装置は矩形箱状のケーシング（1）を備え、ケーシング（1）内部は、前後に延びる第１仕切板（3）で収納容積の大きい左側の第１空間（5）と、収納容積の小さい右側の第２空間（7）とに区画されている。また、上記第１空間（5）は、左右に平行に延びる前後２枚の第２及び第３仕切板（9,11）で収納容積の大きい中央の第３空間（13）と、収納容積の小さい前後２つの第４及び第５空間（15,17）とに区画され、上記第３空間（13）は、前後に延びる第４仕切板（19）で左側空間（13a）と右側空間（13b）とに区画されている。さらに、後側の第５空間（17）は、左右に水平に延びる第５仕切板（21）で上下に区画され、上側空間を第１流入路（23）とし、下側の空間を第１流出路（25）としている。一方、前側の第４空間（15）も、左右に水平に延びる第６仕切板（27）で上下に区画され、上側空間を第２流入路（29）とし、下側の空間を第２流出路（31）としている。
【００２０】
上記第３仕切板（11）には、４つの第１〜４開口（11a〜11d）が第３空間（13）の左右の空間（13a,13b）、第１流入路（23）及び第１流出路（25）と連通するように上下左右に並んで形成されている（図１（ａ）参照）。また、上記第２仕切板（9）にも、４つの第５〜８開口（9a〜9d）が第３空間（13）の左右の空間（13a,13b）、第２流入路（29）及び第２流出路（31）と連通するように上下左右に並んで形成されている（図１（ｃ）参照）。なお、これら第１〜４開口（11a〜11d）及び第５〜８開口（9a〜9d）には、図示しないが、ダンパがそれぞれ開閉自在に設けられている。
【００２１】
また、上記ケーシング（1）の左側面後側には、室外空気吸込口（33）が上記第１流入路（23）に連通するように形成され、ケーシング（1）の右側面後側には排気吹出口（35）が形成され、この排気吹出口（35）は上記第２空間（7）後側に配置された排気ファン（37）に接続されて第１流出路（25）と連通している。一方、上記ケーシング（1）の左側面前側には、室内空気吸込口（39）が上記第２流入路（29）に連通するように形成され、ケーシング（1）の右側面前側には給気吹出口（41）が形成され、この給気吹出口（41）は上記第２空間（7）前側に配置された給気ファン（43）に接続されて第２流出路（31）と連通している。
【００２２】
このように構成されたケーシング（1）内には、図２に示すような冷媒回路（45）が収納されている。この冷媒回路（45）は、第１熱交換器（47）、第２熱交換器（49）、圧縮機（51）、四方切換弁（53）及び電動膨張弁（55）が介設された閉回路であって冷媒が充填されていて、この冷媒を循環させることにより蒸気圧縮式の冷凍サイクルが行われる。具体的には、圧縮機（51）の吐出側が四方切換弁（53）の第１ポートに接続され、吸入側が四方切換弁（53）の第２ポートに接続されている。第１熱交換器（47）の一端は四方切換弁（53）の第３ポートに接続され、他端は電動膨張弁（55）を介して第２熱交換器（49）の一端に接続されている。第２熱交換器（49）の他端は四方切換弁（53）の第４ポートに接続されている。四方切換弁（53）は、第１ポートと第３ポートが連通して第２ポートと第４ポートが連通する状態（図２（ａ）に示す状態）と、第１ポートと第４ポートが連通して第２ポートと第３ポートが連通する状態（図２（ｂ）に示す状態）とに切り換え自在に構成されている。そして、この冷媒回路（45）は、四方切換弁（53）を切り換えることにより、第１熱交換器（47）が凝縮器として機能して第２熱交換器（49）が蒸発器として機能する第１冷凍サイクル動作と、第１熱交換器（47）が蒸発器として機能して第２熱交換器（49）が凝縮器として機能する第２冷凍サイクル動作とを切り換えて行うように構成されている。また、冷媒回路（45）の各構成要素は、図１に示すように、第１熱交換器（47）が第３空間（13）の右側空間（13b）に、第２熱交換器（49）が第３空間（13）の左側空間（13a）に、圧縮機（51）が第２空間（7）の前後中程にそれぞれ配置されている。なお、図示しないが、四方切換弁（53）や電動膨張弁（55）も第２空間（7）に配置されている。
【００２３】
上記第１及び第２熱交換器（47,49）は共に、図３に示すようなクロスフィン型のフィン・アンド・チューブ熱交換器であり、多数枚のアルミニウム合金製フィン（57）が間隔をあけて並列配置されたフィン群（59）を備えている。このフィン群（59）のフィン配列方向両端面とフィン長手方向両端側の端面とは矩形の金属製枠板（61）で取り囲まれ、第１及び第２熱交換器（47,49）は上記枠板（61）を介して第３空間（13）の左右の空間（13a,13b）にそれぞれ配置されている。上記フィン群（59）には伝熱管（63）が配置されている。この伝熱管（63）は直管部（63a）とＵ字管部（63b）とで蛇行状に形成され、上記直管部（63a）が上記フィン群（59）をフィン配列方向に貫挿するとともに、上記Ｕ字管部（63b）が上記枠板（61）から突出している。また、上記伝熱管（63）の一端には接続管（65）の一端が接続され、この接続管（65）により伝熱管（63）を図示しない冷媒配管に接続するようになっている。
【００２４】
また、上記フィン群（59）外表面には、空気中の水分の吸着と空気中への水分の脱離とを行う吸着剤（図示せず）が担持され、その他の箇所には吸着剤は担持されていない。吸着剤としては、例えば、ゼオライト、シリカゲル、活性炭、親水性又は吸水性の官能基を有する有機高分子ポリマ系材料、カルボキシル基又はスルホン酸基を有するイオン交換樹脂系材料、感温性高分子等の機能性高分子材料、セピオライト、イモゴライト、アロフェン及びカオリナイト等の粘土鉱物系材料等、水分の吸着に優れているものであれば特にこだわらない。担持方法としては、例えば、上記吸着剤を混合したスラリーに浸漬する方法があるが、吸着剤の性能を確保できる方法であれば特にこだわらない。また、必要であれば、バインダ、接着剤、その他混合物を使用してもよい。そして、上記伝熱管（63）を流れる冷媒によって吸着剤を加熱又は冷却することで上記熱交換器（47,49）のフィン群（59）を通過する空気中の水分を吸着剤で吸着又は脱着して空気の湿度を調整するようになっている。
【００２５】
上記第１及び第２熱交換器（47,49）のケーシング（1）に対するレイアウトは、図４に示すように、伝熱管（63）のＵ字管部（63b）が第１〜４開口（11a〜11d）及び第５〜８開口（9a〜9d）側に向くように、第３空間（13）の左右の空間（13a,13b）に配置されている。そして、上記伝熱管（63）のＵ字管部（63b）は、図５にも示すように、遮蔽手段としての断熱材（67）で覆われている。したがって、上記第１〜４開口（11a〜11d）又は第５〜８開口（9a〜9d）から流入する高湿度の流入空気はＵ字管部（63b）に当たらず、しかも、その熱影響を受けず、Ｕ字管部（63b）への結露を防止することができる。また、図６に示すように、Ｕ字管部（63b）を遮蔽手段としての板金からなる遮蔽板（69）で覆ったり、さらに、図７に示すように、遮蔽板（69）の内側に断熱材（67）を設けてＵ字管部（63b）を断熱材（67）及び遮蔽板（69）で覆ったりしても、同様に結露を防止することができる。
【００２６】
また、図９及び図１０に示すように、伝熱管（63）のＵ字管部（63b）が空気流入側及び空気流出側である第１〜４開口（11a〜11d）及び第５〜８開口（9a〜9d）側から外れた位置になるように、第１及び第２熱交換器（47,49）をケーシング（1）内の第３空間（13）の左右の空間（13a,13b）に配置することにより、高湿度の流入空気をＵ字管部（63b）に直接に吹き付けられないようにしてＵ字管部（63b）への結露を防止することもできる。特に、夏場の高湿条件下において、空気流入側から流入する空気が室外空気（OA）である場合には効果的である。なお、図９は第１及び第２熱交換器（47,49）を水平置きしたレイアウト、図１０は第１及び第２熱交換器（47,49）を縦置きしたレイアウトである。この場合、図８に示すように、フィン群（59）と枠板（61）との間に断熱材（67）を介装すれば、高湿度の流入空気の熱影響をフィン群（59）側面に与えないようにしてフィン群（59）側面への結露を防止することができる。この構造は図４の第１及び第２熱交換器（47,49）にも適用することができる。
【００２７】
このように構成された調湿装置の調湿動作について図１１〜１４を参照しながら説明する。
【００２８】
−調湿装置の調湿動作−
この調湿装置では、除湿運転と加湿運転とが切り換え可能となっている。また、除湿運転中や加湿運転中には、第１動作と第２動作とが交互に繰り返される。
【００２９】
《除湿運転》
除湿運転時において、調湿装置では、給気ファン（43）及び排気ファン（37）が運転される。そして、調湿装置は、室外空気（OA）を第１空気として取り込んで室内に供給する一方、室内空気（RA）を第２空気として取り込んで室外に排出する。
【００３０】
まず、除湿運転時の第１動作について、図２及び図１１を参照しながら説明する。この第１動作では、第１熱交換器（47）において吸着剤の再生が行われ、第２熱交換器（49）において第１空気である室外空気（OA）の除湿が行われる。
【００３１】
第１動作時において、冷媒回路（45）では、四方切換弁（53）が図２（ａ）に示す状態に切り換えられる。この状態で圧縮機（51）を運転すると、冷媒回路（45）で冷媒が循環し、第１熱交換器（47）が凝縮器となって第２熱交換器（49）が蒸発器となる第１冷凍サイクル動作が行われる。具体的には、圧縮機（51）から吐出された冷媒は、第１熱交換器（47）で放熱して凝縮し、その後に電動膨張弁（55）へ送られて減圧される。減圧された冷媒は、第２熱交換器（49）で吸熱して蒸発し、その後に圧縮機（51）へ吸入されて圧縮される。そして、圧縮された冷媒は、再び圧縮機（51）から吐出される。
【００３２】
また、第１動作時には、第２開口（11ｂ）、第３開口（11ｃ）、第５開口（9a）及び第８開口（9d）が開口状態となり、第１開口（11a）、第４開口（11d）、第６開口（9b）及び第７開口（9c）が閉鎖状態になる。そして、図１１に示すように、第１熱交換器（47）へ第２空気としての室内空気（RA）が供給され、第２熱交換器（49）へ第１空気としての室外空気（OA）が供給される。
【００３３】
具体的には、室内空気吸込口（39）より流入した第２空気は、第２流入路（29）から第５開口（9a）を通って第３空間（13）の右側空間（13b）へ送り込まれる。右側空間（13b）では、第２空気が第１熱交換器（47）を上から下へ向かって通過して行く。第１熱交換器（47）では、フィン（57）表面に担持された吸着剤が冷媒により加熱され、この吸着剤から水分が脱離する。吸着剤から脱離した水分は、第１熱交換器（47）を通過する第２空気に付与される。第１熱交換器（47）で水分を付与された第２空気は、第３空間（13）の右側空間（13b）から第３開口（11c）を通って第１流出路（25）へ流出する。その後、第２空気は、排気ファン（37）へ吸い込まれ、排気吹出口（35）から排出空気（EA）として室外へ排出される。
【００３４】
一方、室外空気吸込口（33）より流入した第１空気は、第１流入路（23）から第２開口（11b）を通って第３空間（13）の左側空間（13a）へ送り込まれる。左側空間（13a）では、第１空気が第２熱交換器（49）を上から下へ向かって通過して行く。第２熱交換器（49）では、フィン（57）表面に担持された吸着剤に第１空気中の水分が吸着される。その際に生じる吸着熱は、冷媒が吸熱する。第２熱交換器（49）で除湿された第１空気は、第３空間（13）の左側空間（13a）から第８開口（9d）を通って第２流出路（31）へ流出する。その後、第１空気は、給気ファン（43）へ吸い込まれ、給気吹出口（41）から供給空気（SA）として室内へ供給される。
【００３５】
次に、除湿運転時の第２動作について、図２及び図１２を参照しながら説明する。この第２動作では、第２熱交換器（49）において吸着剤の再生が行われ、第１熱交換器（47）において第１空気である室外空気（OA）の除湿が行われる。
【００３６】
第２動作時において、冷媒回路（45）では、四方切換弁（53）が図２（ｂ）に示す状態に切り換えられる。この状態で圧縮機（51）を運転すると、冷媒回路（45）で冷媒が循環し、第１熱交換器（47）が蒸発器となって第２熱交換器（49）が凝縮器となる第２冷凍サイクル動作が行われる。具体的には、圧縮機（51）から吐出された冷媒は、第２熱交換器（49）で放熱して凝縮し、その後に電動膨張弁（55）へ送られて減圧される。減圧された冷媒は、第１熱交換器（47）で吸熱して蒸発し、その後に圧縮機（51）へ吸入されて圧縮される。そして、圧縮された冷媒は、再び圧縮機（51）から吐出される。
【００３７】
また、第２動作時には、第１開口（11a）、第４開口（11d）、第６開口（9b）及び第７開口（9c）が開口状態となり、第２開口（11b）、第３開口（11c）、第５開口（9a）及び第８開口（9d）が閉鎖状態となる。そして、図１２に示すように、第１熱交換器（47）へ第１空気としての室外空気（OA）が供給され、第２熱交換器（49）へ第２空気としての室内空気（RA）が供給される。
【００３８】
具体的には、室内空気吸込口（39）より流入した第２空気は、第２流入路（29）から第６開口（9b）を通って第３空間（13）の左側空間（13a）へ送り込まれる。左側空間（13a）では、第２空気が第２熱交換器（49）を上から下へ向かって通過して行く。第２熱交換器（49）では、フィン（57）表面に担持された吸着剤が冷媒により加熱され、この吸着剤から水分が脱離する。吸着剤から脱離した水分は、第２熱交換器（49）を通過する第２空気に付与される。第２熱交換器（49）で水分を付与された第２空気は、第３空間（13）の左側空間（13a）から第４開口（11d）を通って第１流出路（25）へ流出する。その後、第２空気は、排気ファン（37）へ吸い込まれ、排気吹出口（35）から排出空気（EA）として室外へ排出される。
【００３９】
一方、室外空気吸込口（33）より流入した第１空気は、第１流入路（23）から第１開口（11a）を通って第３空間（13）の右側空間（13b）へ送り込まれる。右側空間（13b）では、第１空気が第１熱交換器（47）を上から下へ向かって通過して行く。第１熱交換器（47）では、フィン（57）表面に担持された吸着剤に第１空気中の水分が吸着される。その際に生じる吸着熱は、冷媒が吸熱する。第１熱交換器（47）で除湿された第１空気は、第３空間（13）の右側空間（13b）から第７開口（9c）を通って第２流出路（31）へ流出する。その後、第１空気は、給気ファン（43）へ吸い込まれ、給気吹出口（41）から供給空気（SA）として室内へ供給される。
【００４０】
《加湿運転》
加湿運転時において、調湿装置では、給気ファン（43）及び排気ファン（37）が運転される。そして、調湿装置は、室内空気（RA）を第１空気として取り込んで室外に排出する一方、室外空気（OA）を第２空気として取り込んで室内に供給する。
【００４１】
まず、加湿運転時の第１動作について、図２及び図１３を参照しながら説明する。この第１動作では、第１熱交換器（47）において第２空気である室外空気（OA）の加湿が行われ、第２熱交換器（49）において第１空気である室内空気（RA）から水分の回収が行われる。
【００４２】
第１動作時において、冷媒回路（45）では、四方切換弁（53）が図２（ａ）に示す状態に切り換えられる。この状態で圧縮機（51）を運転すると、冷媒回路（45）で冷媒が循環し、第１熱交換器（47）が凝縮器となって第２熱交換器（49）が蒸発器となる第１冷凍サイクル動作が行われる。
【００４３】
また、第１動作時には、第１開口（11a）、第４開口（11d）、第６開口（9b）及び第７開口（9c）が開口状態になり、第２開口（11b）、第３開口（11c）、第５開口（9a）及び第８開口（9d）が閉鎖状態になる。そして、図１３に示すように、第１熱交換器（47）には第２空気としての室外空気（OA）が供給され、第２熱交換器（49）には第１空気としての室内空気（RA）が供給される。
【００４４】
具体的には、室内空気吸込口（39）より流入した第１空気は、第２流入路（29）から第６開口（9b）を通って第３空間（13）の左側空間（13a）へ送り込まれる。第２熱交換室（42）では、第１空気が第２熱交換器（49）を上から下へ向かって通過して行く。左側空間（13a）では、フィン（57）表面に担持された吸着剤に第１空気中の水分が吸着される。その際に生じる吸着熱は、冷媒が吸熱する。その後、水分を奪われた第１空気は、第４開口（11d）、第１流出路（25）、排気ファン（37）を順に通過し、排出空気（EA）として排気吹出口（35）から室外へ排出される。
【００４５】
一方、室外空気吸込口（33）より流入した第２空気は、第１流入路（23）から第１開口（11a）を通って第３空間（13）の右側空間（13b）へ送り込まれる。右側空間（13b）では、第２空気が第１熱交換器（47）を上から下へ向かって通過して行く。第１熱交換器（47）では、フィン（57）表面に担持された吸着剤が冷媒により加熱され、この吸着剤から水分が脱離する。吸着剤から脱離した水分は、第１熱交換器（47）を通過する第２空気に付与される。その後、加湿された第２空気は、第７開口（9c）、第２流出路（31）、給気ファン（43）を順に通過し、供給空気（SA）として給気吹出口（41）から室内へ供給される。
【００４６】
次に、加湿運転時の第２動作について、図２及び図１４を参照しながら説明する。この第２動作では、第２熱交換器（49）において第２空気である室外空気（OA）の加湿が行われ、第１熱交換器（47）において第１空気である室内空気（RA）から水分の回収が行われる。
【００４７】
第２動作時において、冷媒回路（45）では、四方切換弁（53）が図２（ｂ）に示す状態に切り換えられる。この状態で圧縮機（51）を運転すると、冷媒回路（45）で冷媒が循環し、第１熱交換器（47）が蒸発器となって第２熱交換器（49）が凝縮器となる第２冷凍サイクル動作が行われる。
【００４８】
また、第２動作時には、第２開口（11b）、第３開口（11c）、第５開口（9a）及び第８開口（9d）が開口状態になり、第１開口（11a）、第４開口（11d）、第６開口（9b）及び第７開口（9c）が閉鎖状態になる。そして、図１４に示すように、第１熱交換器（47）には第１空気としての室内空気（RA）が供給され、第２熱交換器（49）には第２空気としての室外空気（OA）が供給される。
【００４９】
具体的には、室内空気吸込口（39）より流入した第１空気は、第２流入路（29）から第５開口（9a）を通って第３空間（13）の右側空間（13b）に送り込まれる。右側空間（13b）では、第１空気が第１熱交換器（47）を上から下に向かって通過して行く。第１熱交換器（47）では、フィン（57）表面に担持された吸着剤に第１空気中の水分が吸着される。その際に生じる吸着熱は、冷媒が吸熱する。その後、水分を奪われた第１空気は、第３開口（11c）、第１流出路（25）、排気ファン（37）を順に通過し、排出空気（EA）として排気吹出口（35）から室外へ排出される。
【００５０】
一方、室外空気吸込口（33）より流入した第２空気は、第１流入路（23）から第２開口（11b）を通って第３空間（13）の左側空間（13a）に送り込まれる。左側空間（13a）では、第２空気が第２熱交換器（49）を上から下へ向かって通過して行く。第２熱交換器（49）では、フィン（57）表面に担持された吸着剤が冷媒により加熱され、この吸着剤から水分が脱離する。吸着剤から脱離した水分は、第２熱交換器（49）を通過する第２空気に付与される。その後、加湿された第２空気は、第８開口（9d）、第２流出路（31）、給気ファン（43）を順に通過し、供給空気（SA）として給気吹出口（41）から室内へ供給される。
【００５１】
以上、全換気モードの除湿運転及び加湿運転について説明したが、この調湿装置は、室内空気（RA）を第１空気として取り込み室内に供給する一方、室外空気（OA）を第２空気として取り込み室外に排出する循環モードの除湿運転や、室外空気（OA）を第１空気として取り込み室外に排出する一方、室内空気（RA）を第２空気として取り込み室内に供給する循環モードの加湿運転をも行うものである。また、室外空気（OA）を第１空気及び第２空気として取り込み、一部を室内に供給すると同時に、残りを室外に排出する給気モードの除湿運転及び加湿運転や、室内空気（RA）を第１空気及び第２空気として取り込み、一部を室内に供給すると同時に、残りを室外に排出する排気モードの除湿運転及び加湿運転をも行うものである。
【産業上の利用可能性】
【００５２】
この発明は、吸着剤と冷凍サイクルとを利用して空気の湿度調節を行う調湿装置に有用である。
【図面の簡単な説明】
【００５３】
【図１】調湿装置の概略構成図である。
【図２】調湿装置の冷媒回路を示す配管系統図である。
【図３】伝熱管のＵ字管部を断熱材で覆った熱交換器の斜視図である。
【図４】伝熱管のＵ字管部を断熱材で覆った熱交換器のレイアウトを示す平面図である。
【図５】伝熱管のＵ字管部を断熱材で覆った熱交換器の構成図である。
【図６】伝熱管のＵ字管部を板金で覆った熱交換器の構成図である。
【図７】伝熱管のＵ字管部を断熱材及び板金で覆った熱交換器の構成図である。
【図８】フィン群と枠板との間に断熱材が介装された熱交換器の構成図である。
【図９】伝熱管のＵ字管部が空気流入側及び流出側から外れた位置になるように熱交換器を水平置きしたレイアウトを示す平面図である。
【図１０】伝熱管のＵ字管部が空気流入側及び流出側から外れた位置になるように熱交換器を縦置きしたレイアウトを示す平面図である。
【図１１】除湿運転の第１動作における空気の流れを示す調湿装置の概略構成図である。
【図１２】除湿運転の第２動作における空気の流れを示す調湿装置の概略構成図である。
【図１３】加湿運転の第１動作における空気の流れを示す調湿装置の概略構成図である。
【図１４】加湿運転の第２動作における空気の流れを示す調湿装置の概略構成図である。
【符号の説明】
【００５４】
1     ケーシング
47    第１熱交換器
49    第２熱交換器
57    フィン
59    フィン群
61    枠板
63    伝熱管
63a   直管部
63b   Ｕ字管部
65    接続管
67    断熱材（遮蔽手段）
69    遮蔽板（遮蔽手段）
【図１】
2005291596.tif 000003
【図２】
2005291596.tif 000004
【図３】
2005291596.tif 000005
【図４】
2005291596.tif 000006
【図５】
2005291596.tif 000007
【図６】
2005291596.tif 000008
【図７】
2005291596.tif 000009
【図８】
2005291596.tif 000010
【図９】
2005291596.tif 000011
【図１０】
2005291596.tif 000012
【図１１】
2005291596.tif 000013
【図１２】
2005291596.tif 000014
【図１３】
2005291596.tif 000015
【図１４】
2005291596.tif 000016